(57)【要約】【課題】本発明は収納できる便座用取っ手を開示した。【解決手段】収納本体を含み、前記収納本体の中には収納装置が設けられ、前記収納装置の左側には伝動装置が設けられ、前記収納本体の上側には防振装置が設けられ、前記収納装置は、前記収納本体の中に設置され、且つ右に開口した収納チャンバを含み、前記収納チャンバの中には便座上げ板がスライドできるように設置され、前記便座上げ板の右側には阻み板が設けられ、前記阻み板が閉じているとき、前記便座上げ板が前記収納チャンバの中に収納されており、且つ前記収納装置が起動できなく、前記防振装置は、前記収納本体の中に設置され、且つ上に開口したＵ字型チャンバを含む。【選択図】図１
2020175061.tif 000002
【特許請求の範囲】
【請求項１】
収納本体を含み、前記収納本体の中には収納装置が設けられ、前記収納装置の左側には伝動装置が設けられ、前記収納本体の上側には防振装置が設けられ、前記収納装置は、前記収納本体の中に設置され、且つ右に開口した収納チャンバを含み、前記収納チャンバの中には便座上げ板がスライドできるように設置され、前記便座上げ板の右側には阻み板が設けられ、前記阻み板が閉じているとき、前記便座上げ板が前記収納チャンバの中に収納されており、且つ前記収納装置が起動できなく、前記防振装置は、前記収納本体の中に設置され、且つ上に開口したＵ字型チャンバを含み、前記収納本体の上側には貼付け板が設けられ、前記貼付け板の下端には下端が前記Ｕ字型チャンバの中に伸びているＵ字型板が固定的に設けられ、前記Ｕ字型板の中にはラックが設けられ、前記伝動装置の中にはラック歯車が設けられ、前記ラック歯車はラックと噛み合うことと複数組の歯車の調節伝動によって前記防振装置の動力を前記収納装置に伝達し、前記阻み板は前記伝動装置の開閉を制御することを特徴とする収納できる便座用取っ手。
【請求項２】
前記収納装置は前記収納チャンバを含み、前記収納チャンバの中にはスライド板がスライドできるように設けられ、前記便座上げ板が前記スライド板の右端面に固定的に設けられ、前記スライド板の左端面の中には左に開口した従動スライド溝が前後に対称的に設けられ、前記従動スライド溝の中には従動スライダーがスライドできるように設けられ、前記収納チャンバの左壁のうち前記従動スライド溝に相対するところには主動スライド溝が前後に対称的に連通して設けられ、前記主動スライド溝の中にはボルトが回転できるように設けられ、前記主動スライド溝の中には前記ボルトとねじ山によって連結される主動スライダーがスライドできるように設けられ、前記主動スライダーと前記従動スライダーとの間にはヒンジロッドが互い違いになってヒンジで連結され、前記ヒンジロッドの互いにずらされている部分が互いに回転できるように連結され、前記収納チャンバの下壁右端には下に開口した阻み板チャンバが連通して設けられ、前記阻み板の下端には前記阻み板チャンバを貫通しており、且つハンドプル板が固定的に設けられ、前記収納チャンバの前後壁右端には位置制限溝が対称的に且つ連通して設けられ、前記阻み板の前後両端には前記位置制限溝の中に伸びている位置制限ブロックが固定的に設けられ、前記阻み板チャンバの左壁において前記収納チャンバの下端に位置しているところにはプッシュロッドチャンバが連通して設けられ、前記プッシュロッドチャンバの中にはプッシュロッドがスライドできるように設けられることを特徴とする請求項１に記載の収納できる便座用取っ手。
【請求項３】
前記伝動装置は前記Ｕ字型チャンバの左側部分の右壁の中に連通して設けられる伝動チャンバを含み、前記伝動チャンバの中には切替ブロックがスライドできるように設けられ、前記切替ブロックの下端と前記伝動チャンバとの間には押圧バネが固定的に連結され、前記切替ブロックの右端面のうち前記プッシュロッドチャンバに相対するところには右に開口した凹溝が設けられ、前記プッシュロッドの左端が凹溝の中に伸びることができ、前記切替ブロックの上端には主動ハスバ歯車が回転できるように設けられ、前記主動ハスバ歯車の上端には従動傘歯車が固定的に連結され、前記ラック歯車が前記伝動チャンバの上側に回転できるように設けられ、前記ラック歯車の前端には前記従動傘歯車と噛み合うことができる主動傘歯車が固定的に連結され、前記伝動チャンバの右側において前記主動スライド溝の間に位置しているところには歯車チャンバが連通して設けられ、前記歯車チャンバの中には前記主動ハスバ歯車と噛み合うことができる従動ハスバ歯車が回転できるように設けられ、前記ボルトの相対的な一端は前記歯車チャンバの中に伸びており、且つ前記従動ハスバ歯車に固定的に連結されることを特徴とする請求項１に記載の収納できる便座用取っ手。
【請求項４】
前記防振装置は前記貼付け板を含み、前記貼付け板と前記収納本体との間には防振バネが固定的に連結され、前記貼付け板の上端面には貼付けブロックが固定的に設けられ、前記Ｕ字型板が前記Ｕ字型チャンバの中に伸びており、前記ラックが前記Ｕ字型板の左側部分の右端面の中に固定的に設けられ、前記Ｕ字型チャンバの左側部分の左端面の中にはガイドスライド溝が連通して設けられ、前記Ｕ字型板の左端には前記ガイドスライド溝の中に伸びているガイドスライドブロックが固定的に設けられることを特徴とする請求項１に記載の収納できる便座用取っ手。
【発明の詳細な説明】
【技術分野】
【０００１】
本発明は生活用品技術分野を取り上げて、具体的には収納できる便座用取っ手である。
【背景技術】
【０００２】
便座が日常生活の中で普遍的に使用され、便座が使用されていない時、一般的に便座を上げ、しかし便座は必然的に排泄物で汚染され、非常に衛生的ではなく、便座用取っ手を使用すると、便座を持ち上げるのが簡単になるだけでなく、より衛生的になり、しかし普通の便座用取っ手は便座の下側にしっかりと貼り付けられる必要があり、便座を使用するとき、便座用取っ手が突き出ている部分が使用者に損傷を与えやすく、ズボンに引っ掛かることもあるので、不便であり、もし便座用取っ手を後ろに取り付けると、使用するのは便利ではなく、そのため、収納できる便座用取っ手が必要になり、本装置によって使用中に便座用取っ手を収納することができ、使用中にユーザーにとって不要なトラブルを防ぎ、防振性も備えており、それは便座を保護し、騒音を避けることができる。
【先行技術文献】
【特許文献】
【０００３】
【特許文献１】中国特許出願公開第105747980号明細書
【発明の概要】
【発明が解決しようとする課題】
【０００４】
本発明の目的は収納できる便座用取っ手を提供し、それは上記の現在の技術中の問題を解決できる。
【課題を解決するための手段】
【０００５】
本発明の収納できる便座用取っ手は、収納本体を含み、前記収納本体の中には収納装置が設けられ、前記収納装置の左側には伝動装置が設けられ、前記収納本体の上側には防振装置が設けられ、前記収納装置は、前記収納本体の中に設置され、且つ右に開口した収納チャンバを含み、前記収納チャンバの中には便座上げ板がスライドできるように設置され、前記便座上げ板の右側には阻み板が設けられ、前記阻み板が閉じているとき、前記便座上げ板が前記収納チャンバの中に収納されており、且つ前記収納装置が起動できなく、前記防振装置は、前記収納本体の中に設置され、且つ上に開口したＵ字型チャンバを含み、前記収納本体の上側には貼付け板が設けられ、前記貼付け板の下端には下端が前記Ｕ字型チャンバの中に伸びているＵ字型板が固定的に設けられ、前記Ｕ字型板の中にはラックが設けられ、前記伝動装置の中にはラック歯車が設けられ、前記ラック歯車はラックと噛み合うことと複数組の歯車の調節伝動によって前記防振装置の動力を前記収納装置に伝達し、前記阻み板は前記伝動装置の開閉を制御する。
【０００６】
更の技術プラン、前記収納装置は前記収納チャンバを含み、前記収納チャンバの中にはスライド板がスライドできるように設けられ、前記便座上げ板が前記スライド板の右端面に固定的に設けられ、前記スライド板の左端面の中には左に開口した従動スライド溝が前後に対称的に設けられ、前記従動スライド溝の中には従動スライダーがスライドできるように設けられ、前記収納チャンバの左壁のうち前記従動スライド溝に相対するところには主動スライド溝が前後に対称的に連通して設けられ、前記主動スライド溝の中にはボルトが回転できるように設けられ、前記主動スライド溝の中には前記ボルトとねじ山によって連結される主動スライダーがスライドできるように設けられ、前記主動スライダーと前記従動スライダーとの間にはヒンジロッドが互い違いになってヒンジで連結され、前記ヒンジロッドの互いにずらされている部分が互いに回転できるように連結され、前記収納チャンバの下壁右端には下に開口した阻み板チャンバが連通して設けられ、前記阻み板の下端には前記阻み板チャンバを貫通しており、且つハンドプル板が固定的に設けられ、前記収納チャンバの前後壁右端には位置制限溝が対称的に且つ連通して設けられ、前記阻み板の前後両端には前記位置制限溝の中に伸びている位置制限ブロックが固定的に設けられ、前記阻み板チャンバの左壁において前記収納チャンバの下端に位置しているところにはプッシュロッドチャンバが連通して設けられ、前記プッシュロッドチャンバの中にはプッシュロッドがスライドできるように設けられる。
【０００７】
更の技術プラン、前記伝動装置は前記Ｕ字型チャンバの左側部分の右壁の中に連通して設けられる伝動チャンバを含み、前記伝動チャンバの中には切替ブロックがスライドできるように設けられ、前記切替ブロックの下端と前記伝動チャンバとの間には押圧バネが固定的に連結され、前記切替ブロックの右端面のうち前記プッシュロッドチャンバに相対するところには右に開口した凹溝が設けられ、前記プッシュロッドの左端が凹溝の中に伸びることができ、前記切替ブロックの上端には主動ハスバ歯車が回転できるように設けられ、前記主動ハスバ歯車の上端には従動傘歯車が固定的に連結され、前記ラック歯車が前記伝動チャンバの上側に回転できるように設けられ、前記ラック歯車の前端には前記従動傘歯車と噛み合うことができる主動傘歯車が固定的に連結され、前記伝動チャンバの右側において前記主動スライド溝の間に位置しているところには歯車チャンバが連通して設けられ、前記歯車チャンバの中には前記主動ハスバ歯車と噛み合うことができる従動ハスバ歯車が回転できるように設けられ、前記ボルトの相対的な一端は前記歯車チャンバの中に伸びており、且つ前記従動ハスバ歯車に固定的に連結される。
【０００８】
更の技術プラン、前記防振装置は前記貼付け板を含み、前記貼付け板と前記収納本体との間には防振バネが固定的に連結され、前記貼付け板の上端面には貼付けブロックが固定的に設けられ、前記Ｕ字型板が前記Ｕ字型チャンバの中に伸びており、前記ラックが前記Ｕ字型板の左側部分の右端面の中に固定的に設けられ、前記Ｕ字型チャンバの左側部分の左端面の中にはガイドスライド溝が連通して設けられ、前記Ｕ字型板の左端には前記ガイドスライド溝の中に伸びているガイドスライドブロックが固定的に設けられる。
【発明の効果】
【０００９】
本発明の有益な効果は：本発明は構造が簡単で、操作が便利で、本装置によって使用中に便座用取っ手を収納することができ、使用中にユーザーにとって不要なトラブルを防ぎ、防振性もあり、それは便座を保護し、騒音を避けることができる。
【図面の簡単な説明】
【００１０】
【図１】図１は本発明の収納できる便座用取っ手の内部全体構成略図
【図２】図２は図１のＡ−Ａ方向の構成略図
【図３】図３は図１のＢの拡大略図
【発明を実施するための形態】
【００１１】
下記に図１〜３を合わせて本発明について詳しく説明します。説明を便利にさせるように、ここで下記の方位に規定します：下記の上下左右前後という方向は図１の自身の投影関係の上下左右前後の方向と一致します。
【００１２】
図１〜３を参照し、本発明の実施例の収納できる便座用取っ手は、収納本体１１を含み、前記収納本体１１の中には収納装置が設けられ、前記収納装置の左側には伝動装置が設けられ、前記収納本体１１の上側には防振装置が設けられ、前記収納装置は、前記収納本体１１の中に設置され、且つ右に開口した収納チャンバ１２を含み、前記収納チャンバ１２の中には便座上げ板１３がスライドできるように設置され、前記便座上げ板１３の右側には阻み板１４が設けられ、前記阻み板１４が閉じているとき、前記便座上げ板１３が前記収納チャンバ１２の中に収納されており、且つ前記収納装置が起動できなく、前記防振装置は、前記収納本体１１の中に設置され、且つ上に開口したＵ字型チャンバ１５を含み、前記収納本体１１の上側には貼付け板１６が設けられ、前記貼付け板１６の下端には下端が前記Ｕ字型チャンバ１５の中に伸びているＵ字型板１７が固定的に設けられ、前記Ｕ字型板１７の中にはラック１８が設けられ、前記伝動装置の中にはラック歯車１９が設けられ、前記ラック歯車１９はラック１８と噛み合うことと複数組の歯車の調節伝動によって前記防振装置の動力を前記収納装置に伝達し、前記阻み板１４は前記伝動装置の開閉を制御する。
【００１３】
有益なまた例を示すように、前記収納装置は前記収納チャンバ１２を含み、前記収納チャンバ１２の中にはスライド板２０がスライドできるように設けられ、前記便座上げ板１３が前記スライド板２０の右端面に固定的に設けられ、前記スライド板２０の左端面の中には左に開口した従動スライド溝２１が前後に対称的に設けられ、前記従動スライド溝２１の中には従動スライダー２２がスライドできるように設けられ、前記収納チャンバ１２の左壁のうち前記従動スライド溝２１に相対するところには主動スライド溝２３が前後に対称的に連通して設けられ、前記主動スライド溝２３の中にはボルト２４が回転できるように設けられ、前記主動スライド溝２３の中には前記ボルト２４とねじ山によって連結される主動スライダー２５がスライドできるように設けられ、前記主動スライダー２５と前記従動スライダー２２との間にはヒンジロッド２６が互い違いになってヒンジで連結され、前記ヒンジロッド２６の互いにずらされている部分が互いに回転できるように連結され、前記収納チャンバ１２の下壁右端には下に開口した阻み板チャンバ２７が連通して設けられ、前記阻み板１４の下端には前記阻み板チャンバ２７を貫通しており、且つハンドプル板４３が固定的に設けられ、前記収納チャンバ１２の前後壁右端には位置制限溝２８が対称的に且つ連通して設けられ、前記阻み板１４の前後両端には前記位置制限溝２８の中に伸びている位置制限ブロック２９が固定的に設けられ、前記阻み板チャンバ２７の左壁において前記収納チャンバ１２の下端に位置しているところにはプッシュロッドチャンバ３０が連通して設けられ、前記プッシュロッドチャンバ３０の中にはプッシュロッド３１がスライドできるように設けられる。
【００１４】
有益なまた例を示すように、前記伝動装置は前記Ｕ字型チャンバ１５の左側部分の右壁の中に連通して設けられる伝動チャンバ３２を含み、前記伝動チャンバ３２の中には切替ブロック３３がスライドできるように設けられ、前記切替ブロック３３の下端と前記伝動チャンバ３２との間には押圧バネ３４が固定的に連結され、前記切替ブロック３３の右端面のうち前記プッシュロッドチャンバ３０に相対するところには右に開口した凹溝３５が設けられ、前記プッシュロッド３１の左端が凹溝３５の中に伸びることができ、前記切替ブロック３３の上端には主動ハスバ歯車３６が回転できるように設けられ、前記主動ハスバ歯車３６の上端には従動傘歯車３７が固定的に連結され、前記ラック歯車１９が前記伝動チャンバ３２の上側に回転できるように設けられ、前記ラック歯車１９の前端には前記従動傘歯車３７と噛み合うことができる主動傘歯車３８が固定的に連結され、前記伝動チャンバ３２の右側において前記主動スライド溝２３の間に位置しているところには歯車チャンバ３９が連通して設けられ、前記歯車チャンバ３９の中には前記主動ハスバ歯車３６と噛み合うことができる従動ハスバ歯車４０が回転できるように設けられ、前記ボルト２４の相対的な一端は前記歯車チャンバ３９の中に伸びており、且つ前記従動ハスバ歯車４０に固定的に連結される。
【００１５】
有益なまた例を示すように、前記防振装置は前記貼付け板１６を含み、前記貼付け板１６と前記収納本体１１との間には防振バネ４４が固定的に連結され、前記貼付け板１６の上端面には貼付けブロック４５が固定的に設けられ、前記Ｕ字型板１７が前記Ｕ字型チャンバ１５の中に伸びており、前記ラック１８が前記Ｕ字型板１７の左側部分の右端面の中に固定的に設けられ、前記Ｕ字型チャンバ１５の左側部分の左端面の中にはガイドスライド溝４１が連通して設けられ、前記Ｕ字型板１７の左端には前記ガイドスライド溝４１の中に伸びているガイドスライドブロック４２が固定的に設けられる。
【００１６】
初期状態では、便座上げ板１３が収納チャンバ１２の中に収納され、阻み板１４は収納チャンバ１２の右側を閉じ、切替ブロック３３が最も下方に位置し、このとき、押圧バネ３４は圧縮状態にあり、従動傘歯車３７は主動傘歯車３８と噛合していなく、主動ハスバ歯車３６は従動ハスバ歯車４０と噛合していない。
【００１７】
本装置を利用するとき、貼付けブロック４５を便座の下端面に貼り付け、阻み板１４が閉じている状態にあり、この時、本装置は防振効果のみを有し、便座を下げると、収納本体１１の下端面がまず便器に接触し、阻み板１４によって防振し、便座にある程度の防振保護を与え、同時に騒音を発生して利用者を怖がらせることを防ぎ、
便座を上げる機能を使用する時、便座を下げて収納本体１１の下端を便器に当接させ、このとき、まず便座を押し下げ、貼付け板１６を連動させて押し下げ、更にＵ字型板１７を連動させてＵ字型チャンバ１５の下限位置まで下降させ、このとき、手動でハンドプル板４３を引き下げ、更に阻み板１４を連動させて下限位置まで下降させ、且つ収納チャンバ１２を開け、このとき、切替ブロック３３は押圧バネ３４の弾性力で上に移動し、且つプッシュロッド３１を押し動かして右に移動させ、このとき主動ハスバ歯車３６は従動ハスバ歯車４０と噛み合っており、従動傘歯車３７は主動傘歯車３８と噛み合っており、このとき便座を放し、Ｕ字型板１７は防振バネ４４の弾性力で初期位置まで上昇し、このときラック１８が上昇し、且つ歯車とラックの噛み合いによってラック歯車１９を回転連動させ、従って主動傘歯車３８を回転連動させ、歯車の噛み合いによって従動傘歯車３７を回転連動させ、且つ主動ハスバ歯車３６を回転連動させ、歯車の噛み合いによって従動ハスバ歯車４０を回転連動させ、且つボルト２４を回転連動させ、ねじ山による連結によって主動スライダー２５を連動させて中心に向かって移動させ、従ってヒンジロッド２６を連動させて右へ伸びらせ、且つスライド板２０を連動させて右に移動させ、更に便座上げ板１３を右に外部まで移動させ、このとき、便座上げ板１３によって便座を持ち上げ、使用時に、使用者が便座の上に座ると、Ｕ字型板１７が押し下げられ、このとき、ラック歯車１９が逆方向に回転し、これにより便座上げ板１３が収納チャンバ１２の中に収納され、便座上げ板１３が使用者にとって不要なトラブルが防止される。
【００１８】
本発明の有益な効果は：本発明は構造が簡単で、操作が便利で、本装置によって使用中に便座用取っ手を収納することができ、使用中にユーザーにとって不要なトラブルを防ぎ、防振性もあり、それは便座を保護し、騒音を避けることができる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175061.tif 000003
【図２】
2020175061.tif 000004
【図３】
2020175061.tif 000005
【手続補正書】
【提出日】令和1年7月8日(2019.7.8)
【手続補正１】
【補正対象書類名】特許請求の範囲
【補正対象項目名】請求項３
【補正方法】変更
【補正の内容】
【請求項３】
前記伝動装置は前記Ｕ字型チャンバの左側部分の右壁の中に連通して設けられる伝動チャンバを含み、前記伝動チャンバの中には切替ブロックがスライドできるように設けられ、前記切替ブロックの下端と前記伝動チャンバとの間には押圧バネが固定的に連結され、前記切替ブロックの右端面のうち前記プッシュロッドチャンバに相対するところには右に開口した凹溝が設けられ、前記プッシュロッドの左端が凹溝の中に伸びることができ、前記切替ブロックの上端には主動ハスバ歯車が回転できるように設けられ、前記主動ハスバ歯車の上端には従動傘歯車が固定的に連結され、前記ラック歯車が前記伝動チャンバの上側に回転できるように設けられ、前記ラック歯車の前端には前記従動傘歯車と噛み合うことができる主動傘歯車が固定的に連結され、前記伝動チャンバの右側において前記主動スライド溝の間に位置しているところには歯車チャンバが連通して設けられ、前記歯車チャンバの中には前記主動ハスバ歯車と噛み合うことができる従動ハスバ歯車が回転できるように設けられ、前記ボルトの相対的な一端は前記歯車チャンバの中に伸びており、且つ前記従動ハスバ歯車に固定的に連結されることを特徴とする請求項２に記載の収納できる便座用取っ手。